(57)【要約】【課題】研磨布を確実に固定でき、また、研磨布の固定、脱着作業を容易に、かつ、円滑に行えるようにし、さらに、研磨布に十分な張りをもたせることができる遊技球研磨搬送装置を提供する。【解決手段】本発明では、研磨布３２と搬送ベルト１０との間に遊技球Ｐを挟持して、研磨しながら搬送する遊技球研磨搬送装置において、搬送ベルト１０の外周面に対し支持部材２７を対向位置に保持するケース２０が設けられ、該ケース２０の外側に研磨布固定装置４０を配置し、該研磨布固定装置４０は、ケース２０に立設された抵抗体５３と、ケース２０に摺動自在に設けられ、抵抗体５３に研磨布３２を押圧する押圧部材４６を有したスライド部材４１と、抵抗体５３と押圧部材４６との間に研磨布３２を押圧し挟持した状態でスライド部材４１を固定するスライド部材固定部４７とを備えるようにしている。【選択図】　図８
2004065868.tif 000002
【特許請求の範囲】
【請求項１】
一対の支持部材を備え、その一方の支持部材に研磨布が敷設され、該研磨布と他方の支持部材との間に遊技球を挟持して、挟持された遊技球を一端から他端に向けて研磨しながら搬送する遊技球研磨搬送装置において、
前記他方の支持部材の遊技球の挟持面に対し、前記研磨布を対向位置するため、前記研磨布が敷設された一方の支持部材を保持するケースが設けられ、該ケースの外側に研磨布固定装置を配置し、
該研磨布固定装置は、前記ケースに立設された抵抗体と、前記ケースに摺動自在に設けられ、前記抵抗体に前記研磨布を押圧する押圧部材を有したスライド部材と、前記抵抗体と前記押圧部材との間に前記研磨布を押圧し挟持した状態で前記スライド部材を固定するスライド部材固定部とを備えたことを特徴とする遊技球研磨搬送装置。
【請求項２】
前記研磨布が敷設された一方の支持部材の研磨布の支持面および前記他方の支持部材の遊技球の挟持面の一方または両方に案内溝が形成されていることを特徴とする請求項１に記載の遊技球研磨搬送装置。
【請求項３】
一対の支持部材を備え、その両方の支持部材に研磨布を敷設し、該両研磨布を対向させ、その両研磨布の間に遊技球を挟持して、挟持された遊技球を一端から他端に向けて研磨しながら搬送する遊技球研磨搬送装置において、
前記両研磨布を対向位置するため、前記両支持部材を保持するケースがそれぞれ設けられ、該両ケースの外側に研磨布固定装置をそれぞれ配置し、
該研磨布固定装置は、前記ケースに立設された抵抗体と、前記ケースに摺動自在に設けられ、前記抵抗体に前記研磨布を押圧する押圧部材を有したスライド部材と、前記抵抗体と前記押圧部材との間に前記研磨布を押圧し挟持した状態で前記スライド部材を固定するスライド部材固定部とを備えたことを特徴とする遊技球研磨搬送装置。
【請求項４】
前記一対の支持部材の研磨布の支持面の一方または両方に案内溝が形成されていることを特徴とする請求項３に記載の遊技球研磨搬送装置。
【請求項５】
駆動ローラと従動ローラの間に張架された無端輪状の搬送ベルトと、該搬送ベルトの外周面に対向して配置された支持部材を備え、該支持部材のベルト対向面に研磨布が敷設され、該研磨布と前記搬送ベルトとの間に遊技球を挟持して、研磨しながら搬送する遊技球研磨搬送装置において、
前記搬送ベルトの外周面に対し前記支持部材を対向位置に保持するケースが設けられ、該ケースの外側に研磨布固定装置を配置し、
該研磨布固定装置は、前記ケースに立設された抵抗体と、前記ケースに摺動自在に設けられ、前記抵抗体に前記研磨布を押圧する押圧部材を有したスライド部材と、前記抵抗体と前記押圧部材との間に前記研磨布を押圧し挟持した状態で前記スライド部材を固定するスライド部材固定部とを備えたことを特徴とする遊技球研磨搬送装置。
【請求項６】
前記支持部材は、ベルト対向面に案内溝が形成されていることを特徴とする請求項５に記載の遊技球研磨搬送装置。
【請求項７】
前記スライド部材固定部は、前記ケースに回動自在に軸支された係脱操作部と、該係脱操作部に回動自在に軸支された連結アームと、スライド部材に設けられ、該連結アームが係止する係止部とを備え、
前記係脱操作部の一端を押し下げて回動させ、前記係止部に前記連結アームを係止させることで、前記研磨布を固定する状態と、前記係脱操作部の一端を押し上げて回動させ、前記係止部から前記連結アームを開放することで、前記研磨布を開放する状態とに変位可能としたことを特徴とする請求項１から請求項６のいずれか１項に記載の遊技球研磨搬送装置。
【請求項８】
前記押圧部材は、幅方向の一部が空部であることを特徴とする請求項１から請求項７のいずれか１項に記載の遊技球研磨搬送装置。
【請求項９】
前記研磨布固定装置を前記ケースの外側の一端および他端にそれぞれ配置したことを特徴とする請求項１から請求項８のいずれか１項に記載の遊技球研磨搬送装置。
【発明の詳細な説明】
【０００１】
【発明の属する技術分野】
本発明は、遊技球を研磨布と支持部材、または、研磨布と研磨布とで挟持し、挟持された遊技球を一端から他端に向けて研磨しながら搬送する遊技球研磨搬送装置に関し、特に遊技球を研磨する研磨布を確実に固定でき、また、その研磨布の固定、脱着作業を容易に、かつ、円滑に行えるようにし、さらに、研磨布に十分な張りをもたせることができるようにしたものである。
【０００２】
【従来の技術】
パチンコ遊技場において、パチンコ機から排出されるアウト球などのパチンコ球Ｐをパチンコ島の下部から、パチンコ機に供給させるためパチンコ島の上部に揚送し、その揚送の際、パチンコ球Ｐを研磨してその汚れを除去する装置が設けられている。この種の装置として、搬送ベルト１０４と研磨布１０７との間にパチンコ球Ｐを挟持させて研磨しながら揚送する遊技球研磨搬送装置１００Ａがある。この遊技球研磨搬送装置１００Ａは、図１３に示すように、本体１０１の下部に駆動ローラ１０２を上部に従動ローラ１０３を備え、両ローラ間に無端輪状の搬送ベルト１０４を張架させ、駆動ローラ１０２を回転させることによって搬送ベルト１０４が両ローラ間を循環する。そして、搬送ベルト１０４の上昇面に対向させて蓋部１０５が設けられている。該蓋部１０５の内側にガイドレール１０６を配置し、ガイドレール１０６の搬送ベルト１０４の対向面に研磨布１０７を敷設し、この研磨布１０７と搬送ベルト１０４との間にパチンコ球Ｐを挟持して研磨しながら揚送するものである。
【０００３】
ところで、遊技球研磨搬送装置１００Ａを一定時間稼動させると遊技球の表面に付着していた汚れが研磨され研磨布１０７に付着するので、研磨布１０７が汚れ、所定時間稼動したならば研磨布１０７を交換する必要がある。このため、研磨布１０７の両端は、蓋部１０５の外側面の上端と下端に設けられ、固定状態と開放状態に切替ができる固定装置１１０によって固定されている。この種の固定装置１１０として、例えば、図１４に示すようなものが知られている。該固定装置１１０の下側固定装置１１１は、蓋部１０５の外側面の下端に配置されている。該下側固定装置１１１は、Ｌ字状で、蓋部１０５の一側面に固着される取付バー１１２と、研磨布１０７を固定する固定バー１１３とからなる。研磨布１０７の下端は、リング状に形成され、固定バー１１３が該リング状の部分に挿入されることによって、研磨布１０７の下端は、固定される。
【０００４】
固定装置１１０の上側固定装置１１４は、蓋部１０５の外側面の上端に配置されている。該上側固定装置１１４は、可動プレート１１５と、係止装置１１８とから構成されている。該可動プレート１１５の一端は蝶番１１６を介して蓋部１０５の一側面に水平方向に回動自在に固着されている。可動プレート１１５の他端は係止片１１７として形成されている。係止装置１１８は、蓋部１０５の他側面に設けられている。可動プレート１１５と蓋部１０５の外側面との間に研磨布１０７を挿入し、係止片１１７と係止装置１１８とを係止させることによって、研磨布１０７の上端は、固定される。
【０００５】
【発明が解決しようとする課題】
しかしながら、この固定装置１１０では、研磨布１０７が可動プレート１１５と蓋部１０５の外側面との間から抜け易い構造であるため、研磨布１０７を確実に固定することは困難であり、また、研磨布１０７の固定時においては、操作性が悪く、さらに、固定しながら研磨布１０７の張りを十分に確保することは難しかった。
本発明は、上記に鑑み提案されたもので、研磨布を確実に固定でき、また、その研磨布の固定、脱着作業を容易に、かつ、円滑に行えるようにし、さらに、研磨布に十分な張りもたせることができる遊技球研磨搬送装置を提供することを目的とする。
【０００６】
【課題を解決するための手段】
上記目的を達成するために、請求項１に記載の発明は、一対の支持部材を備え、その一方の支持部材に研磨布が敷設され、該研磨布と他方の支持部材との間に遊技球を挟持して、挟持された遊技球を一端から他端に向けて研磨しながら搬送する遊技球研磨搬送装置において、前記他方の支持部材の遊技球の挟持面に対し、前記研磨布を対向位置するため、前記研磨布が敷設された一方の支持部材を保持するケースが設けられ、該ケースの外側に研磨布固定装置を配置し、該研磨布固定装置は、前記ケースに立設された抵抗体と、前記ケースに摺動自在に設けられ、前記抵抗体に前記研磨布を押圧する押圧部材を有したスライド部材と、前記抵抗体と前記押圧部材との間に前記研磨布を押圧し挟持した状態で前記スライド部材を固定するスライド部材固定部とを備えたことを特徴としている。
【０００７】
また、請求項２に記載の発明は、上記した請求項１に記載の発明の構成に加えて、前記研磨布が敷設された一方の支持部材の研磨布の支持面および前記他方の支持部材の遊技球の挟持面の一方または両方に案内溝が形成されていることを特徴としている。
【０００８】
また、請求項３に記載の発明は、一対の支持部材を備え、その両方の支持部材に研磨布を敷設し、該両研磨布を対向させ、その両研磨布の間に遊技球を挟持して、挟持された遊技球を一端から他端に向けて研磨しながら搬送する遊技球研磨搬送装置において、前記両研磨布を対向位置するため、前記両支持部材を保持するケースがそれぞれ設けられ、該両ケースの外側に研磨布固定装置をそれぞれ配置し、該研磨布固定装置は、前記ケースに立設された抵抗体と、前記ケースに摺動自在に設けられ、前記抵抗体に前記研磨布を押圧する押圧部材を有したスライド部材と、前記抵抗体と前記押圧部材との間に前記研磨布を押圧し挟持した状態で前記スライド部材を固定するスライド部材固定部とを備えたことを特徴としている。
【０００９】
また、請求項４に記載の発明は、上記した請求項３に記載の発明の構成に加えて、前記一対の支持部材の研磨布の支持面の一方または両方に案内溝が形成されていることを特徴としている。
【００１０】
また、請求項５に記載の発明は、駆動ローラと従動ローラの間に張架された無端輪状の搬送ベルトと、該搬送ベルトの外周面に対向して配置された支持部材を備え、該支持部材のベルト対向面に研磨布が敷設され、該研磨布と前記搬送ベルトとの間に遊技球を挟持して、研磨しながら搬送する遊技球研磨搬送装置において、前記搬送ベルトの外周面に対し前記支持部材を対向位置に保持するケースが設けられ、該ケースの外側に研磨布固定装置を配置し、該研磨布固定装置は、前記ケースに立設された抵抗体と、前記ケースに摺動自在に設けられ、前記抵抗体に前記研磨布を押圧する押圧部材を有したスライド部材と、前記抵抗体と前記押圧部材との間に前記研磨布を押圧し挟持した状態で前記スライド部材を固定するスライド部材固定部とを備えたことを特徴としている。
【００１１】
また、請求項６に記載の発明は、上記した請求項５に記載の発明の構成に加えて、前記支持部材は、ベルト対向面に案内溝が形成されていることを特徴としている。
【００１２】
また、請求項７に記載の発明は、上記した請求項１から請求項６のいずれか１項に記載の発明の構成に加えて、前記スライド部材固定部は、前記ケースに回動自在に軸支された係脱操作部と、該係脱操作部に回動自在に軸支された連結アームと、スライド部材に設けられ、該連結アームが係止する係止部とを備え、前記係脱操作部の一端を押し下げて回動させ、前記係止部に前記連結アームを係止させることで、前記研磨布を固定する状態と、前記係脱操作部の一端を押し上げて回動させ、前記係止部から前記連結アームを開放することで、前記研磨布を開放する状態とに変位可能としたことを特徴としている。
【００１３】
また、請求項８に記載の発明は、上記した請求項１から請求項７のいずれか１項に記載の発明の構成に加えて、前記押圧部材は、幅方向の一部が空部であることを特徴としている。
【００１４】
さらに、請求項９に記載の発明は、上記した請求項１から請求項８のいずれか１項に記載の発明の構成に加えて、前記研磨布固定装置を前記ケースの外側の一端および他端にそれぞれ配置したことを特徴としている。
【００１５】
【発明の実施の形態】
以下に、本発明の実施の形態を図面に基づいて詳細に説明する。図１乃至図１２は、本発明に係る遊技球研磨搬送装置の一実施形態を示したものである。
【００１６】
ここで例示する遊技球研磨搬送装置１００は、図１に示すように、本体部１とケース２０とから構成されている。本体部１は、ベース２と、該ベース２の上面に配置された本体フレーム３と、該本体フレーム３に立設された上部フレーム４とから構成されている。本体フレーム３の下端部には、パチンコ機から排出されたパチンコ球Ｐを回収するパチンコ球回収路に接続される導入口５が形成され、上部フレーム４の上端部には、パチンコ球補給路にパチンコ球Ｐを供給する上部タンクに接続される導出口６が形成されている。また、本体フレーム３には、駆動ローラ１１が設けられ、上部フレーム４の上端部には、従動ローラ１２が設けられている。これら駆動ローラ１１および従動ローラ１２は、相互に平行となる水平軸心回りに回転できるように配置されている。このうち、駆動ローラ１１には、その軸部の一端部にドリブンプーリ１３を設けてあり、電動機１４による回転力がドライブプーリ１５、駆動ベルト１６およびドリブンプーリ１３を介して伝達されるようになっている。
【００１７】
これら駆動ローラ１１と従動ローラ１２の間に無端輪状の搬送ベルト１０が張架されている。この搬送ベルト１０の上昇内周面に搬送ベルト１０を案内する複数のガイドローラ１７が配置されている。これらガイドローラ１７は上部フレーム４に回動自在に支持されている。また、駆動ローラ１１の上方において搬送ベルト１０の外周面に搬送ベルト１０に張力を与えるテンションローラ１８が配置されている。
【００１８】
上部フレーム４は、図１および図２に示すように、搬送ベルト１０の外周面の対向位置にケース２０を備えている。このケース２０は、横断面がコの字状をなすもので、上部フレーム４の幅とほぼ同様の幅を有する平面板２１と、該平面板２１の水平方向両側縁から搬送ベルト１０側に延設した一対の側板２２，２２とから構成されている。平面板２１は、内側面に固定爪２３、２３が形成されている。側板２２，２２の搬送ベルト１０側の先端は、それぞれ内側に向けて直角に折曲され、折曲部２４，２４が形成されている。また、側板２２，２２の該折曲部２４，２４から平面板２１側寄りの部分に規制片２５，２５が形成されている。折曲部２４，２４と規制片２５，２５との間に収容溝２６，２６が上下方向に形成されている。
【００１９】
そして、ケース２０は、搬送ベルト１０の外周面の対向位置にウレタンゴムの成形材である支持部材２７を設けている。支持部材２７は、搬送ベルト１０の反対側面に係止爪２８，２８を設けている。支持部材２７は、平面板２１の固定爪２３，２３が、係止爪２８，２８に係止されることにより、ケース２０に保持されている。さらに、支持部材２７は、幅方向両端に突部２９，２９が形成されている。該突部２９，２９は、規制片２５，２５に当接し、支持部材２７は、ケース２０内に規制されている。ケース２０の平面板２１と支持部材２７との間には、弾発バネ３０が設けられている。支持部材２７は、搬送ベルト１０の対向面に上下方向に延在して案内溝３１が７条形成されている。それぞれの案内溝３１の横断面は、図２に示すように、パチンコ球Ｐよりも僅かに大きな略半円形状に形成されている。さらに、支持部材２７の搬送ベルト１０の対向面に、案内溝３１を覆った状態で、研磨布３２が敷設されており、研磨布３２の幅方向両端部がそれぞれ収容溝２６，２６内に位置している。従って、弾発バネ３０により付勢された支持部材２７に研磨布３２が支持され、この研磨布３２と搬送ベルト１０との間にパチンコ球Ｐが挟持されながら、研磨揚送される。
【００２０】
カバー２０は、平面板２１の一側が上部フレーム４の一側面との間に設けた蝶番３３によって開閉可能に支承してあるとともに、その他側の側板２２が上部フレーム４の他側面との間に設けた係止手段３４によって閉塞した状態に保持することが可能である。
【００２１】
研磨布３２は、支持部材２７の搬送ベルト１０の対向面をほぼ全面的に覆い、さらに、その下端部および上端部をケース２０の平面板２１の外側面に折り返された状態で取り付けられている。この研磨布３２の上端は、図１に示すように、ケース２０の平面板２１の外側面の上端に配置された研磨布固定装置４０により取り付けられ、また、研磨布３２の下端は、ケース２０の平面板２１の外側面の下端に配置された研磨布固定装置４０により取り付けられている。
【００２２】
ケース２０の平面板２１の外側面の上端に配置された研磨布固定装置４０は、図３乃至図９に示すように、ケース２０の平面板２１の外側面に立設され、後述するスライド部材４１に設けられた押圧部材４６を研磨布３２を介して押圧させる抵抗体５３と、ケース２０の平面板２１の外側面に沿って上下方向に摺動自在に設けられたスライド部材４１と、抵抗体５３と押圧部材４６との間に研磨布３２を押圧し挟持した状態でスライド部材４１を固定するスライド部材固定部４７とを備えている。
【００２３】
抵抗体５３は、ケース２０の平面板２１の外側面に固着されたプレート５４に立設されている。該抵抗体５３は、押圧部材４６の移動方向と交差するように設けられ、板状で先端をへの字状に屈曲したものである。尚、抵抗体５３は、直接ケース２０の平面板２１の外側面に立設されていてもよい。また、抵抗体５３の押圧部材４６を研磨布３２を介して押圧させる部分を後述する押圧部材４６である棒部材の外周面にあわせて、図１２に示すように、円弧状として、押圧部材４６の押圧時、抵抗体５３、研磨布３２および押圧部材４６が面接触するようにしてもよい。あるいは、抵抗体５３の押圧部材４６を研磨布３２を介して押圧させる部分にゴムやローレット等のすべり止めを設けてもよい。
【００２４】
スライド部材４１は、板部材４２を備えている。該板部材４２は、水平方向の両側縁から中央寄りに上下方向に長尺な長孔４３，４３が穿設されている。該長孔４３，４３に図示しないカラーを通したガイドビス４４，４４を挿通し、板部材４２は、プレート５４を介してケース２０の平面板２１の外側面に沿って上下方向に摺動自在に設けられている。尚、板部材４２は、長孔４３，４３にガイドビス４４，４４を挿通し、直接ケース２０の平面板２１の外側面に摺動自在に設けてもよい。また、板部材４２の水平方向両側縁部に押圧部材４６を支持する支持壁４５，４５がそれぞれケース２０の反対方向に向かって立設されている。支持壁４５、４５は、板部材４２の上縁を越え上方向に延設され、その先端部に押圧部材４６が設けられている。押圧部材４６は、一対の棒部材であり、棒部材は、それぞれ支持壁４５，４５の先端部からスライド部材４１の幅方向の中央部に向かって延設されている。該両棒部材は、接触しておらず、両棒部材間は空部が存在している。従って、研磨布３２の固定時は、両棒部材間の空部に研磨布３２を通せば、固定を円滑に行うことができる。図１に示すように、研磨布３２の端部がロール状に巻き取られていても、ロール状端部の手前の巻き取られていない部分を両棒部材間の空部に通すことにより、研磨布３２がロール状に巻き取られた状態で研磨布固定装置４０に固定できる。また、スライド部材４１のスライドストロークを十分に確保し、かつ、支持壁４５，４５の板部材４２からの延設距離を十分に確保すれば、スライド部材４１を上方に摺動した時、抵抗体５３と押圧部材４６の離隔距離が長くなるので、研磨布３２の固定を容易に行うことができる。
【００２５】
スライド部材固定部４７は、図３乃至図１１に示すように、プレート部５４の上面に固着された取付部４９の突起部４９ａにおいて枢軸５０で回動自在に軸支された係脱操作部４８と、該係脱操作部４８に軸部５１ａ、５１ａによって回動自在に軸支された連結アーム５１と、スライド部材４１の略中央の下端に立設されて、連結アーム５１が係止する係止部５２とから構成されている。尚、係脱操作部４８がプレート５４に設けられた枢軸５０で回動自在に軸支されているが、ケース２０の平面板２１の外側面に直接設けられた軸に、軸支されていてもよい。
【００２６】
ケース２０の平面板２１の外側面の下端に配置された研磨布固定装置４０は、ケース２０の平面板２１の外側面の上端に配置された研磨布固定装置４０と上下反対方向である点を除き、全く同じ構成を成しているので、説明を省略する。
【００２７】
次に、ケース２０の平面板２１の外側面の上端に配置された研磨布固定装置４０について固定作業および脱着作業を説明する。
【００２８】
研磨布３２の固定時においては、ケース２０を蝶番３３の軸を中心として回動して開き、まず、係脱操作部４８の下端を引き上げ、係脱操作部４８を枢軸５０を中心として時計方向（図３および図５の矢印Ａ方向）に回動させることで、連結アーム５１が係止部５２から開放される。次に、スライド部材４１を上方（図３、図４および図５の矢印Ｂ方向）に摺動させ、図６および図７に示すように、抵抗体５３と押圧部材４６を離隔させ、研磨布３２を抵抗体５３と押圧部材４６の間に挿通させる。その後、スライド部材４１を下方（図６および図７の矢印Ｃ方向）に摺動させ、抵抗体５３に研磨布３２を介して押圧部材４６を押圧させ、かつ、係止部５２に連結アーム５１を引っ掛け、係脱操作部４８の下端を押し下げ、係脱操作部４８を枢軸５０を中心として反時計方向（図６および図７の矢印Ｄ方向）に回動させる。その結果、図８および図９に示すように、連結アーム５１が係止部５２に係止され、抵抗体５３と押圧部材４６との間に研磨布３２が押圧され挟持された状態で研磨布３２が固定される。そして、ケース２０を閉じ、係止手段３４により閉塞保持する。
【００３０】
研磨布３２の脱着時においては、ケース２０を蝶番３３の軸を中心として回動して開き、まず、係脱操作部４８の下端を引き上げ、係脱操作部４８を枢軸５０を中心として時計方向（図８および図９の矢印Ｅ）に回動させることで、連結アーム５１が係止部５２から開放される。次に、スライド部材４１を上方（図８および図９の矢印Ｆ）に摺動させ、図６および図７に示すように、抵抗体５３と押圧部材４６を離隔させる。その結果、研磨布３２が抵抗体５３と押圧部材４６から開放され、研磨布３２を脱着可能となる。
【００３１】
上記のような固定作業で研磨布３２が固定された遊技球研磨搬送装置１００では、パチンコ球回収路から導入口５に送られてきたパチンコ球Ｐは、搬送ベルト１０の走行によって搬送ベルト１０と研磨布３２の間に挟持され、研磨揚送され、導出口６から遊技島の上部タンクを介してパチンコ球補給路に供給される。
【００３２】
以上説明したように、この実施の形態では、研磨布固定装置４０は、ケース２０の平面板２１の外側面に立設された抵抗体５３と、スライド部材４１に設けられた押圧部材４６の間に研磨布３２を押圧し挟持するので、研磨布３２を確実に固定できる。
【００３３】
また、研磨布３２の固定時において、研磨布３２を抵抗体５３と押圧部材４６の間に挿通させ、押圧部材４６を設けたスライド部材４１をケース２０の平面板２１の外側面に沿って摺動させ、抵抗体５３と押圧部材４６との間に研磨布３２を押圧させ、係止部５２に連結アーム５１を引っ掛け、係脱操作部４８の一端を押し下げることにより連結アーム５１が係止部５２に係止され、研磨布３２を固定するので、あるいは、研磨布３２の脱着時において、係脱操作部４８の一端を押し上げることにより係止部５２から連結アーム５１を開放させ、スライド部材４１をケース２０の平面板２１の外側面に沿って摺動させ、抵抗体５３と押圧部材４６を離隔させ、研磨布３２を開放させ、研磨布３２を脱着するので、研磨布３２の固定、脱着作業を容易に、かつ、円滑に行うことができる。
【００３４】
さらに、研磨布３２の固定時においては、まず、ケース２０の平面板２１の外側面の下端に配置された研磨布固定装置４０に研磨布３２の下端を固定する。ケース２０の平面板２１の下端で研磨布３２を折り返し、支持部材２７の搬送ベルト１０の対向面を覆い、研磨布３２の上端をケース２０の平面板２１の外側面に折り返す。そして、ケース２０の平面板２１の外側面の上端に配置された研磨布固定装置４０において、係脱操作部４８を枢軸５０を中心として時計方向に回動させ、一度連結アーム５１を係止部５２から開放させ、スライド部材４１を上方に摺動させ、離隔した抵抗体５３と押圧部材４６の間に研磨布３２を挿通させる。続いて、スライド部材４１を下方に押し下げ、連結アーム５１を係止部５２に引っ掛け、その状態で、連結アーム５１が係止部５２から外れないように片手で係脱操作部４８の上面を押えつつ、片手で研磨布３２を押圧部材４６で折り返し上方に引っ張り上げることにより、適度に研磨布３２の張りを調整し、その後、係脱操作部４８を押し下げ、係脱操作部４８を枢軸５０を中心として反時計方向に回動させ、連結アーム５１が係止部５２に係止され、抵抗体５３と押圧部材４６との間に研磨布３２が押圧され挟持された状態で研磨布３２を固定させることができる。従って、研磨布３２に十分な張りをもたせることができる。
【００３５】
尚、上述した実施の形態では、ケースの平面板の外側面の上端に研磨布固定装置を配置し、かつ、ケースの平面板の外側面の下端に上端に配置された研磨布固定装置と上下反対方向に研磨布固定装置を配置した遊技球研磨搬送装置を例示してあるが、本発明はこれに限定されない。例えば、ケースの平面板の外側面の上端に本研磨布固定装置を配置し、ケースの平面板の外側面の下端に公知の別の固定装置を配置してもよい。また、ケースの平面板の外側面の上端に公知の別の固定装置を配置し、ケースの平面板の外側面の下端に本研磨布固定装置を配置してもよい。
【００３６】
また、上述した実施の形態では、パチンコ機から排出されたパチンコ球を遊技島の上部タンクに揚送するための研磨搬送装置を例示してあるが、本発明はこれらに限定されない。例えば、遊技機で用いる遊技球であれば、パチンコ球以外のものにも適用可能である。また、遊技球の搬送方向も上方である必要はなく、斜め方向や水平方向等々、任意の方向であっても、また本装置を適宜の姿勢で設置しても同様の作用効果を期待することが可能である。
【００３７】
また、上述した実施の形態では、一方の支持部材に支持された研磨布に対して他方の支持部材である搬送ベルトを走行させることによって遊技球を搬送させるようにしているが、例えば、両支持部材をいずれも固定し、下方から順次遊技球を押し上げたり、一端から他端に向けて水平方向に押送するようにして遊技球を搬送させるように構成することも可能である。
【００３８】
さらに、上述した実施の形態では、支持部材にのみ案内溝を設けるようにしているが、案内溝を搬送ベルトのみに設けたり、支持部材および搬送ベルトの双方に設けても構わない。また、両支持部材をいずれも固定した場合は、案内溝を支持部材の一方、又は、両方に設けても構わない。なお、案内溝の数は、必ずしも７条である必要はなく、要求される遊技球の搬送能力に応じて適宜変更すればよい。
【００３９】
【発明の効果】
以上説明したように、本発明によれば、研磨布固定装置は、ケースに立設された抵抗体と、スライド部材に設けられた押圧部材の間に研磨布を押圧し挟持するので、研磨布を確実に固定できる。また、研磨布を抵抗体と押圧部材の間に挿通させ、押圧部材を設けたスライド部材を摺動させ、抵抗体と押圧部材との間に研磨布を押圧させ、係止部に連結アームを引っ掛け、係脱操作部の一端を押し下げることにより連結アームが係止部に係止され、研磨布を固定するので、あるいは、係脱操作部の一端を押し上げることにより係止部から連結アームを開放させ、スライド部材を摺動させ、抵抗体と押圧部材を離隔させ、研磨布を開放させ、研磨布を脱着するので、研磨布の固定、脱着作業を容易に、かつ、円滑に行うことができる。さらに、連結アームを係止部に引っ掛け、片手で係脱操作部の上面を押えつつ、片手で研磨布を押圧部材で折り返し引っ張ることにより適度に研磨布の張りを調整し、研磨布を固定することができるので、研磨布に十分な張りをもたせることができる。
【図面の簡単な説明】
【図１】本発明に係る遊技球研磨搬送装置を示す全体側面図である。
【図２】装置の要部の断面図である。
【図３】研磨布が装着されていない状態の研磨布固定装置を示す斜視図である。
【図４】研磨布が装着されていない状態の研磨布固定装置を示す正面図である。
【図５】研磨布が装着されていない状態の研磨布固定装置を示す側面図である。
【図６】抵抗体と押圧部材が離隔し研磨布が開放状態の研磨布固定装置を示す斜視図である。
【図７】抵抗板と押圧部材が離隔し研磨布が開放状態の研磨布固定装置を示す側面図である。
【図８】研磨布が固定された状態の上部研磨布固定装置を示す斜視図である。
【図９】研磨布が固定された状態の上部研磨布固定装置を示す側面図である。
【図１０】研磨布固定装置のスライド部材固定部を拡大して示す正面図である。
【図１１】研磨布固定装置のスライド部材固定部を拡大して示す側面図である。
【図１２】研磨布固定装置の先端を円弧状とした抵抗体を拡大して示す側面図である。
【図１３】従来の遊技球研磨装置を示す全体側面図である。
【図１４】従来の遊技球研磨装置の研磨布固定装置を示す斜視図である。
【符号の説明】
１　　　本体部
２　　　ベース
３　　　本体フレーム
４　　　上部フレーム
５　　　導入口
６　　　導出口
１０　　　搬送ベルト
１１　　　駆動ローラ
１２　　　従動ローラ
１３　　　ドリブンプーリ
１４　　　電動機
１５　　　ドライブプーリ
１６　　　駆動ベルト
１７　　　ガイドローラ
１８　　　テンションローラ
２０　　　ケース
２１　　　平面板
２２　　　側板
２３　　　固定爪
２４　　　折曲部
２５　　　規制片
２６　　　収納溝
２７　　　支持部材
２８　　　係止爪
２９　　　突部
３０　　　弾発バネ
３１　　　案内溝
３２　　　研磨布
３３　　　蝶番
３４　　　係止手段
４０　　　研磨布固定装置
４１　　　スライド部材
４２　　　板部材
４３　　　長孔
４４　　　ガイドビス
４５　　　支持壁
４６　　　押圧部材
４７　　　スライド部材固定部
４８　　　係脱操作部
４９　　　取付部
４９ａ　　突起部
５０　　　枢軸
５１　　　連結アーム
５１ａ　　軸部
５２　　　係止部
５３　　　抵抗体
５４　　　プレート
１００　　　遊技球研磨搬送装置
Ｐ　　　遊技球
【図１】
2004065868.tif 000003
【図２】
2004065868.tif 000004
【図３】
2004065868.tif 000005
【図４】
2004065868.tif 000006
【図５】
2004065868.tif 000007
【図６】
2004065868.tif 000008
【図７】
2004065868.tif 000009
【図８】
2004065868.tif 000010
【図９】
2004065868.tif 000011
【図１０】
2004065868.tif 000012
【図１１】
2004065868.tif 000013
【図１２】
2004065868.tif 000014
【図１３】
2004065868.tif 000015
【図１４】
2004065868.tif 000016